(57)【要約】【課題】就寝時に使用者の背中の両脇部分と掛布団との間に隙間が形成されないようにすることができる寝具を提供すること。【解決手段】本発明では、寝具(1)において、頭を支持する頭部弾性体(3)と、この頭部弾性体(3)の前端中央から前方に向けて前低後高の傾斜状に形成した背中を支持する背部弾性体(4)と、この背部弾性体(4)の左右側方に前記頭部弾性体(3)の前端から前方に向けて前低後高の傾斜状に形成した側部弾性体(5,6)とを有し、前記背部弾性体(4)よりも前記側部弾性体(5,6)を高く形成することにした。特に、前記頭部弾性体(3)と背部弾性体(4)との境界部に配置可能とした首を支持する首部弾性体(7)を有することにした。また、前記首部弾性体(7)は、前記頭部弾性体(3)の後端部に前記頭部弾性体(3)の上面を覆うシート(8)を介して接続することにした。【選択図】図１
2008148739.tif 000002
【特許請求の範囲】
【請求項１】
頭を支持する頭部弾性体と、この頭部弾性体の前端中央から前方に向けて前低後高の傾斜状に形成した背中を支持する背部弾性体と、この背部弾性体の左右側方に前記頭部弾性体の前端から前方に向けて前低後高の傾斜状に形成した側部弾性体とを有し、前記背部弾性体よりも前記側部弾性体を高く形成したことを特徴とする寝具。
【請求項２】
前記頭部弾性体と背部弾性体との境界部に配置可能とした首を支持する首部弾性体を有することを特徴とする請求項１に記載の寝具。
【請求項３】
前記首部弾性体は、前記頭部弾性体の後端部に前記頭部弾性体の上面を覆うシートを介して接続したことを特徴とする請求項２に記載の寝具。
【発明の詳細な説明】
【技術分野】
【０００１】
本発明は、寝具に関するものである。
【背景技術】
【０００２】
睡眠時においては、平らな布団に枕を用いて就寝するよりも、腰よりも頭を上方にして上半身を傾斜させた状態で就寝するほうが、首や肩への負担が軽減され、熟睡することができる。
【０００３】
特に、病人や老人にとっては、上半身を傾斜させた状態とすることで、呼吸が容易なものとなるとともに、背中への負担が軽減されて床ずれの防止にもなる。
【０００４】
そのため、従来より、寝具として、使用者の上半身を傾斜させて支持することができる断面略三角形状のマットが考案されている（たとえば、特許文献１参照。）。
【０００５】
【特許文献１】特開２００６−１４１７４３号公報
【発明の開示】
【発明が解決しようとする課題】
【０００６】
ところが、上記従来の寝具では、使用者の上半身を傾斜させて支持することによって身体への負担が軽減されるものの、使用者の背中の両脇部分と掛布団との間に隙間が形成されており、この隙間から寝具外部の冷気が入り込み、背中が冷えてしまって熟睡ができないおそれがあった。
【課題を解決するための手段】
【０００７】
そこで、請求項１に係る本発明では、寝具において、頭を支持する頭部弾性体と、この頭部弾性体の前端中央から前方に向けて前低後高の傾斜状に形成した背中を支持する背部弾性体と、この背部弾性体の左右側方に前記頭部弾性体の前端から前方に向けて前低後高の傾斜状に形成した側部弾性体とを有し、前記背部弾性体よりも前記側部弾性体を高く形成することにした。
【０００８】
また、請求項２に係る本発明では、前記請求項１に係る本発明において、前記頭部弾性体と背部弾性体との境界部に配置可能とした首を支持する首部弾性体を有することにした。
【０００９】
また、請求項３に係る本発明では、前記請求項２に係る本発明において、前記首部弾性体は、前記頭部弾性体の後端部に前記頭部弾性体の上面を覆うシートを介して接続することにした。
【発明の効果】
【００１０】
そして、本発明では、以下に記載する効果を奏する。
【００１１】
すなわち、請求項１に係る本発明では、寝具において、頭を支持する頭部弾性体と、この頭部弾性体の前端中央から前方に向けて前低後高の傾斜状に形成した背中を支持する背部弾性体と、この背部弾性体の左右側方に頭部弾性体の前端から前方に向けて前低後高の傾斜状に形成した側部弾性体とを有し、背部弾性体よりも側部弾性体を高く形成しているために、側部弾性体が使用者の背中の両脇部分に当接して、就寝時に使用者の背中の両脇部分と掛布団との間に隙間が形成されないようにすることができ、寝具外部から冷気が侵入して使用者の背中が冷やされてしまうのを未然に防止することができる。
【００１２】
また、請求項２に係る本発明では、頭部弾性体と背部弾性体との境界部に配置可能とした首を支持する首部弾性体を有しているために、使用者の首と頭部弾性体及び背部弾性体との間に形成される隙間を首部弾性体によって塞ぐことができ、寝具外部の冷気によって使用者の首が冷やされてしまうのを未然に防止することができる。
【００１３】
また、請求項３に係る本発明では、首部弾性体を頭部弾性体の後端部に頭部弾性体の上面を覆うシートを介して接続しているために、使用者の好みに応じて首部弾性体の使用の有無を変更することができるとともに、首部弾性体の使用時にはシートによって頭部弾性体の上面を覆って、頭部弾性体に汚れが付着するのを防止することができる。
【発明を実施するための最良の形態】
【００１４】
以下に、本発明に係る寝具の具体的な構成について図面を参照しながら説明する。
【００１５】
図１〜図６に示すように、寝具１は、前低後高の傾斜状に形成した略矩形箱型の本体２に頭部弾性体３と背部弾性体４と左右一対の側部弾性体5,6とを形成するとともに、本体２の後端部に首部弾性体７をシート８を介して接続している。
【００１６】
頭部弾性体３は、本体２の後部に形成しており、使用者（就寝者）の頭を支持する枕として機能し、弾性を有する横長形状に形成している。
【００１７】
背部弾性体４は、本体２の頭部弾性体３の前端中央から前方に向けて前低後高の傾斜状に形成しており、使用者の背中を支持する敷布団として機能し、弾性を有する縦長形状に形成している。
【００１８】
側部弾性体5,6は、本体２に形成した背部弾性体４の左右側方に頭部弾性体３の前端左右側部から前方に向けて前低後高の傾斜状に形成しており、弾性を有する縦長形状に形成している。
【００１９】
この側部弾性体5,6は、背部弾性体４の高さよりも高くなるように形成している。
【００２０】
これにより、使用時（就寝時）には、側部弾性体5,6が使用者の背中の両脇部分に当接することになり、側部弾性体5,6によって使用時に使用者の背中の両脇部分と掛布団との間に隙間が形成されないようにすることができ、背部弾性体４と側部弾性体5,6と掛布団とで使用者の上半身を包み込むことができるので、寝具１の外部から冷気が侵入して使用者の背中が冷やされてしまうのを未然に防止することができる。
【００２１】
首部弾性体７は、本体２の頭部弾性体３の後端部にシート８を介して接続しており、断面略円形状の筒型に形成している。
【００２２】
この首部弾性体７は、図７及び図８に示すように、頭部弾性体３の上面中央部分をシート８で覆った状態とすることで、頭部弾性体３と背部弾性体４との境界部に配置することができ、頭部弾性体３と背部弾性体４との境界部において使用者の首を支持するように機能する。
【００２３】
このように、頭部弾性体３と背部弾性体４との境界部に首部弾性体７を配置することで、首部弾性体７によって使用者の首を支持することができ、これにより、使用者の首と頭部弾性体３及び背部弾性体４との間に形成される隙間を首部弾性体７によって塞ぐことができ、寝具１の外部の冷気によって使用者の首が冷やされてしまうのを未然に防止することができる。
【００２４】
しかも、使用時に使用者の頭と頭部弾性体３との間にシート８が介在することになるので、頭部弾性体３が汚れてしまうのを防止することができる。なお、シート８を頭部弾性体３及び首部弾性体７に着脱自在に接続するようにすれば、シート８だけを容易に交換することができ、また、シート８だけを容易に洗濯することができるようになる。
【００２５】
以上に説明したように、寝具１は、頭を支持する頭部弾性体３と、この頭部弾性体３の前端中央から前方に向けて前低後高の傾斜状に形成した背中を支持する背部弾性体４と、この背部弾性体４の左右側方に頭部弾性体３の前端から前方に向けて前低後高の傾斜状に形成した側部弾性体5,6とを有し、背部弾性体４よりも側部弾性体5,6を高く形成している。
【００２６】
そのため、上記寝具１では、使用者の腰よりも頭を上方にして上半身を傾斜させた状態で就寝できるようになっており、首や肩への負担が軽減され、熟睡することができ、特に、病人や老人にとっては、呼吸が容易なものとなるとともに、背中への負担が軽減されて床ずれの防止にもなる。
【００２７】
しかも、上記寝具１では、背部弾性体４よりも側部弾性体5,6を高く形成しているために、側部弾性体5,6が使用者の背中の両脇部分に当接して、就寝時に使用者の背中の両脇部分と掛布団との間に隙間が形成されないようにすることができ、寝具１の外部から冷気が侵入して使用者の背中が冷やされてしまうのを未然に防止することができる。
【００２８】
このように、就寝時に使用者の背中が冷やされてしまうのを防止することによって、使用者の体温を適温に保持して低体温化を防止することができるので、低体温化による免疫力の低減を阻止することができるとともに、低体温化による頻尿を抑制して使用者や介護者への負担を軽減することができる。
【００２９】
また、上記寝具１では、頭部弾性体３と背部弾性体４との境界部に配置可能とした首を支持する首部弾性体７を有している。
【００３０】
そのため、上記寝具１では、使用者の首と頭部弾性体３及び背部弾性体４との間に形成される隙間を首部弾性体７によって塞ぐことができ、寝具１の外部の冷気によって使用者の首が冷やされてしまうのを未然に防止することができる。このように、就寝時に使用者の身体が首から冷やされてしまうのを防止することによっても、使用者の体温を適温に保持して低体温化を防止することができるので、低体温化による免疫力の低減を阻止することができるとともに、低体温化による頻尿を抑制して使用者や介護者への負担を軽減することができる。
【００３１】
特に、頭部弾性体３と背部弾性体４との境界部に首部弾性体７を配置した場合には、背部弾性体４と側部弾性体5,6と首部弾性体７と掛布団とで使用者の上半身を完全に包み込むことができるので、寝具１の外部から冷気が侵入して使用者の首から腰にかけての上半身が冷やされてしまうのを未然に防止することができる。
【００３２】
また、上記寝具１では、首部弾性体７を頭部弾性体３の後端部に頭部弾性体３の上面を覆うシート８を介して接続しているために、使用者の好みに応じて首部弾性体７の使用の有無を変更することができるとともに、首部弾性体７の紛失を防止することができ、しかも、首部弾性体７の使用時にはシート８によって頭部弾性体３の上面を覆って、頭部弾性体３に汚れが付着するのを防止することができる。
【００３３】
なお、上記寝具１では、使用者の上半身を支持するように構成しているが、これに限られず、背部弾性体４や側部弾性体5,6の前端を前方に伸ばして使用者の全身を支持するように構成してもよい。
【図面の簡単な説明】
【００３４】
【図１】本発明に係る寝具を示す平面図。
【図２】同右側面図。
【図３】同Ａ−Ａ断面図。
【図４】同Ｂ−Ｂ断面図。
【図５】同Ｃ−Ｃ端面図。
【図６】同Ｄ−Ｄ端面図。
【図７】寝具の使用状態（首部弾性体の使用時）を示す平面図。
【図８】同右側面図。
【符号の説明】
【００３５】
１  寝具
２  本体
３  頭部弾性体
４  背部弾性体
5,6  側部弾性体
７  首部弾性体
８  シート
【図１】
2008148739.tif 000003
【図２】
2008148739.tif 000004
【図３】
2008148739.tif 000005
【図４】
2008148739.tif 000006
【図５】
2008148739.tif 000007
【図６】
2008148739.tif 000008
【図７】
2008148739.tif 000009
【図８】
2008148739.tif 000010
【手続補正書】
【提出日】平成19年10月15日(2007.10.15)
【手続補正１】
【補正対象書類名】特許請求の範囲
【補正対象項目名】全文
【補正方法】変更
【補正の内容】
【特許請求の範囲】
【請求項１】
前低後高の傾斜状に形成した本体の後部に頭を支持する頭部弾性体を形成するとともに、本体に、この頭部弾性体の前端中央から前方に向けて前低後高の傾斜状に形成した背中を支持する背部弾性体と、この背部弾性体の左右側方に前記頭部弾性体の前端から前方に向けて前低後高の傾斜状に形成した背中の両脇部分に当接する側部弾性体とを形成し、前記背部弾性体よりも前記側部弾性体を高く形成したことを特徴とする寝具。
【請求項２】
前記頭部弾性体と背部弾性体との境界部に配置可能とした首を支持する首部弾性体を有することを特徴とする請求項１に記載の寝具。
【請求項３】
前記首部弾性体は、前記頭部弾性体の後端部に前記頭部弾性体の上面を覆うシートを介して接続したことを特徴とする請求項２に記載の寝具。
【手続補正２】
【補正対象書類名】明細書
【補正対象項目名】０００７
【補正方法】変更
【補正の内容】
【０００７】
そこで、請求項１に係る本発明では、寝具において、前低後高の傾斜状に形成した本体の後部に頭を支持する頭部弾性体を形成するとともに、本体に、この頭部弾性体の前端中央から前方に向けて前低後高の傾斜状に形成した背中を支持する背部弾性体と、この背部弾性体の左右側方に前記頭部弾性体の前端から前方に向けて前低後高の傾斜状に形成した背中の両脇部分に当接する側部弾性体とを形成し、前記背部弾性体よりも前記側部弾性体を高く形成することにした。
【手続補正３】
【補正対象書類名】明細書
【補正対象項目名】００１１
【補正方法】変更
【補正の内容】
【００１１】
すなわち、請求項１に係る本発明では、寝具において、前低後高の傾斜状に形成した本体の後部に頭を支持する頭部弾性体を形成するとともに、本体に、この頭部弾性体の前端中央から前方に向けて前低後高の傾斜状に形成した背中を支持する背部弾性体と、この背部弾性体の左右側方に前記頭部弾性体の前端から前方に向けて前低後高の傾斜状に形成した背中の両脇部分に当接する側部弾性体とを形成し、前記背部弾性体よりも前記側部弾性体を高く形成しているために、使用者の腰よりも頭を上方にして上半身を傾斜させた状態で就寝できるようになっており、首や肩への負担が軽減され、熟睡することができ、特に、病人や老人にとっては、呼吸が容易なものとなるとともに、背中への負担が軽減されて床ずれの防止にもなり、しかも、側部弾性体が使用者の背中の両脇部分に当接して、就寝時に使用者の背中の両脇部分と掛布団との間に隙間が形成されないようにすることができ、寝具外部から冷気が侵入して使用者の背中が冷やされてしまうのを未然に防止することができる。
【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
前低後高の傾斜状に形成した本体の後部に頭を支持する頭部弾性体を形成するとともに、本体に、この頭部弾性体の前端中央から前方に向けて前低後高の傾斜状に形成した背中を支持する背部弾性体と、この背部弾性体の左右側方に前記頭部弾性体の前端左右側部から前方に向けて前低後高の傾斜状に形成した背中の両脇部分に当接する側部弾性体とを形成して使用者の腰よりも頭を上方にして上半身を傾斜させた状態で就寝できるように構成し、しかも、前記背部弾性体よりも前記側部弾性体を高く形成したことを特徴とする寝具。
【手続補正２】
【補正対象書類名】明細書
【補正対象項目名】０００７
【補正方法】変更
【補正の内容】
【０００７】
そこで、請求項１に係る本発明では、寝具において、前低後高の傾斜状に形成した本体の後部に頭を支持する頭部弾性体を形成するとともに、本体に、この頭部弾性体の前端中央から前方に向けて前低後高の傾斜状に形成した背中を支持する背部弾性体と、この背部弾性体の左右側方に前記頭部弾性体の前端左右側部から前方に向けて前低後高の傾斜状に形成した背中の両脇部分に当接する側部弾性体とを形成して使用者の腰よりも頭を上方にして上半身を傾斜させた状態で就寝できるように構成し、しかも、前記背部弾性体よりも前記側部弾性体を高く形成することにした。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１１
【補正方法】変更
【補正の内容】
【００１１】
すなわち、請求項１に係る本発明では、寝具において、前低後高の傾斜状に形成した本体の後部に頭を支持する頭部弾性体を形成するとともに、本体に、この頭部弾性体の前端中央から前方に向けて前低後高の傾斜状に形成した背中を支持する背部弾性体と、この背部弾性体の左右側方に前記頭部弾性体の前端左右側部から前方に向けて前低後高の傾斜状に形成した背中の両脇部分に当接する側部弾性体とを形成して使用者の腰よりも頭を上方にして上半身を傾斜させた状態で就寝できるように構成し、しかも、前記背部弾性体よりも前記側部弾性体を高く形成しているために、使用者の腰よりも頭を上方にして上半身を傾斜させた状態で就寝できるようになっており、首や肩への負担が軽減され、熟睡することができ、特に、病人や老人にとっては、呼吸が容易なものとなるとともに、背中への負担が軽減されて床ずれの防止にもなり、しかも、側部弾性体が使用者の背中の両脇部分に当接して、就寝時に使用者の背中の両脇部分と掛布団との間に隙間が形成されないようにすることができ、寝具外部から冷気が侵入して使用者の背中が冷やされてしまうのを未然に防止することができる。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
前低後高の傾斜状に形成した本体の後部に頭を支持する頭部弾性体を形成するとともに、本体に、この頭部弾性体の前端中央から前方に向けて前低後高の傾斜状に形成した背中を支持する背部弾性体と、この背部弾性体の左右側方に前記頭部弾性体の前端左右側部から前方に向けて前低後高の傾斜状に形成した側部弾性体とを形成して使用者の腰よりも頭を上方にして上半身を傾斜させた状態で就寝できるように構成し、しかも、前記背部弾性体よりも前記側部弾性体を高く形成し、前記背部弾性体よりも幅広に形成した首を支持する首部弾性体を前記頭部弾性体と背部弾性体との境界部に配置可能としたことを特徴とする寝具。
【手続補正２】
【補正対象書類名】明細書
【補正対象項目名】０００７
【補正方法】変更
【補正の内容】
【０００７】
そこで、請求項１に係る本発明では、寝具において、前低後高の傾斜状に形成した本体の後部に頭を支持する頭部弾性体を形成するとともに、本体に、この頭部弾性体の前端中央から前方に向けて前低後高の傾斜状に形成した背中を支持する背部弾性体と、この背部弾性体の左右側方に前記頭部弾性体の前端左右側部から前方に向けて前低後高の傾斜状に形成した側部弾性体とを形成して使用者の腰よりも頭を上方にして上半身を傾斜させた状態で就寝できるように構成し、しかも、前記背部弾性体よりも前記側部弾性体を高く形成し、前記背部弾性体よりも幅広に形成した首を支持する首部弾性体を前記頭部弾性体と背部弾性体との境界部に配置可能とした。
【手続補正３】
【補正対象書類名】明細書
【補正対象項目名】００１１
【補正方法】変更
【補正の内容】
【００１１】
すなわち、請求項１に係る本発明では、寝具において、前低後高の傾斜状に形成した本体の後部に頭を支持する頭部弾性体を形成するとともに、本体に、この頭部弾性体の前端中央から前方に向けて前低後高の傾斜状に形成した背中を支持する背部弾性体と、この背部弾性体の左右側方に前記頭部弾性体の前端左右側部から前方に向けて前低後高の傾斜状に形成した側部弾性体とを形成して使用者の腰よりも頭を上方にして上半身を傾斜させた状態で就寝できるように構成し、しかも、前記背部弾性体よりも前記側部弾性体を高く形成し、前記背部弾性体よりも幅広に形成した首を支持する首部弾性体を前記頭部弾性体と背部弾性体との境界部に配置可能としているために、使用者の腰よりも頭を上方にして上半身を傾斜させた状態で就寝できるようになっており、首や肩への負担が軽減され、熟睡することができ、特に、病人や老人にとっては、呼吸が容易なものとなるとともに、背中への負担が軽減されて床ずれの防止にもなり、しかも、背部弾性体と側部弾性体と首部弾性体と掛布団とで使用者の上半身を完全に包みこむことができるので、寝具の外部から冷気が侵入して使用者の首から腰にかけての上半身が冷やされてしまうのを未然に防止することができる。